(57)【要約】      （修正有）【課題】操作性を高めると共に、操作子を有効利用する音制御装置、その制御方法及びプログラムを提供する。【解決手段】音制御装置は、パラメータ操作子をそれぞれ含む、複数の設定部２３０、２５０、２７０と、ＣＣメッセージの送受信を外部ＭＩＤＩ音源と行う通信部２０４と、パラメータ操作子に対する操作に応じたＣＣメッセージを生成する生成部２０３と、複数の設定部の各々の有効／無効を指定する指定部２３１、２５１、２７１と、制御モードを選択するモード選択部２０２と、第１の制御モードが選択された場合、有効に指定されている設定部について生成されたＣＣメッセージを通信部を通じて送信せず、無効に指定されている設定部について生成されたＣＣメッセージを通信部を通じて送信するよう制御する、制御部２０１と、を有する。【選択図】図７
2020112671.tif 000002
【特許請求の範囲】
【請求項１】
設定された音色に対応する音パラメータを設定するためのパラメータ操作子をそれぞれ含む、複数の設定部と、
ＭＩＤＩ規格のコントロールチェンジメッセージの送受信を外部ＭＩＤＩ音源と行う通信部と、
前記複数の設定部の前記パラメータ操作子に対する操作に応じたコントロールチェンジメッセージを生成する生成部と、
前記複数の設定部の各々の有効／無効を指定する指定部と、
前記通信部の複数の制御モードのうち１つを選択するモード選択部と、
前記モード選択部により第１のモードが選択された場合は、前記複数の設定部のうち有効に指定されている設定部について前記生成部により生成されたコントロールチェンジメッセージを前記通信部を通じて送信せず、前記複数の設定部のうち無効に指定されている設定部について前記生成部により生成されたコントロールチェンジメッセージを前記通信部を通じて送信するよう制御する、制御部と、
を有する、音制御装置。
【請求項２】
前記制御部は、前記モード選択部により第２のモードが選択された場合は、前記複数の設定部のうち有効に指定されている設定部について前記生成部により生成されたコントロールチェンジメッセージを前記通信部を通じて送信し、前記複数の設定部のうち無効に指定されている設定部について前記生成部により生成されたコントロールチェンジメッセージを前記通信部を通じて送信せず、前記モード選択部により第３のモードが選択された場合は、前記複数の設定部の有効／無効の指定に拘わらず前記生成部により生成されたいずれのコントロールチェンジメッセージも前記通信部を通じて送信しないよう制御する、請求項１に記載の音制御装置。
【請求項３】
演奏情報に基づいて音信号を生成する音信号生成部を有し、
前記制御部は、前記生成部により生成されたコントロールチェンジメッセージを前記通信部を通じて送信する場合であっても、前記生成されたコントロールチェンジメッセージの送信と並行して、有効に指定されている設定部の設定内容と、有効に指定されている設定部について生成されたコントロールチェンジメッセージとに基づいて、前記音信号生成部による音信号の生成を制御する、請求項１または２に記載の音制御装置。
【請求項４】
前記音パラメータは、音量またはエフェクトの少なくともいずれかを含む、請求項１〜３のいずれか１項に記載の音制御装置。
【請求項５】
前記複数の設定部の各々は、音色を設定する機能を有する、請求項１〜４のいずれか１項に記載の音制御装置。
【請求項６】
前記制御部は、前記第１のモードが選択された場合は、前記複数の設定部のうち有効に指定されている設定部に対応するコントロールチェンジメッセージを前記通信部を通じて受信せず、前記複数の設定部のうち無効に指定されている設定部に対応するコントロールチェンジメッセージを前記通信部を通じて受信するよう制御する、請求項１〜５のいずれか１項に記載の音制御装置。
【請求項７】
前記通信部による通信方向を送信方向と受信方向とに切り替える切り替え部を有し、
前記制御部は、前記切り替え部により前記通信方向が受信方向に切り替えられている状態においては、前記第２のモードが選択された場合は、前記複数の設定部のうち有効に指定されている設定部に対応するコントロールチェンジメッセージを前記通信部を通じて受信し、前記複数の設定部のうち無効に指定されている設定部に対応するコントロールチェンジメッセージを前記通信部を通じて受信せず、前記第３のモードが選択された場合は、前記複数の設定部の有効／無効の指定に拘わらず前記通信部を通じてコントロールチェンジメッセージを受信せず、前記第１のモードが選択された場合は、前記複数の設定部のうち有効に指定されている設定部に対応するコントロールチェンジメッセージを前記通信部を通じて受信せず、前記複数の設定部のうち無効に指定されている設定部に対応するコントロールチェンジメッセージを前記通信部を通じて受信するよう制御する、請求項２に記載の音制御装置。
【請求項８】
前記制御部は、前記モード選択部により第２のモードが選択された場合は、前記複数の設定部の有効／無効の指定に拘わらず前記生成部により生成された全てのコントロールチェンジメッセージを前記通信部を通じて送信し、前記モード選択部により第３のモードが選択された場合は、前記複数の設定部の有効／無効の指定に拘わらず前記生成部により生成されたいずれのコントロールチェンジメッセージも前記通信部を通じて送信しないよう制御する、請求項１に記載の音制御装置。
【請求項９】
前記複数の設定部の各々は前記指定部を有する、請求項１〜８のいずれか１項に記載の音制御装置。
【請求項１０】
設定された音色に対応する音パラメータを設定するためのパラメータ操作子をそれぞれ含む、複数の設定部と、ＭＩＤＩ規格のコントロールチェンジメッセージの送受信を外部ＭＩＤＩ音源と行う通信部と、を有する音制御装置の制御方法であって、
前記複数の設定部の前記パラメータ操作子に対する操作に応じたコントロールチェンジメッセージを生成し、
ユーザ操作に基づき前記複数の設定部の各々の有効／無効を指定し、
ユーザ操作に基づき前記通信部の複数の制御モードのうち１つを選択し、
前記複数の制御モードのうち第１のモードが選択された場合は、前記複数の設定部のうち有効に指定されている設定部について生成されたコントロールチェンジメッセージを前記通信部を通じて送信せず、前記複数の設定部のうち無効に指定されている設定部について生成されたコントロールチェンジメッセージを前記通信部を通じて送信するよう制御する、音制御装置の制御方法。
【請求項１１】
前記複数の制御モードのうち第２のモードが選択された場合は、前記複数の設定部のうち有効に指定されている設定部について生成されたコントロールチェンジメッセージを前記通信部を通じて送信し、前記複数の設定部のうち無効に指定されている設定部について生成されたコントロールチェンジメッセージを前記通信部を通じて送信せず、前記複数の制御モードのうち第３のモードが選択された場合は、前記複数の設定部の有効／無効の指定に拘わらず、生成されたいずれのコントロールチェンジメッセージも前記通信部を通じて送信しないよう制御する、請求項１０に記載の音制御装置の制御方法。
【請求項１２】
演奏情報に基づいて音信号を生成する際、生成されたコントロールチェンジメッセージを前記通信部を通じて送信する場合であっても、前記生成されたコントロールチェンジメッセージの送信と並行して、有効に指定されている設定部の設定内容と、有効に指定されている設定部について生成されたコントロールチェンジメッセージとに基づいて、音信号の生成を制御する、請求項１０または１１に記載の音制御装置の制御方法。
【請求項１３】
前記音パラメータは、音量またはエフェクトの少なくともいずれかを含む、請求項１０〜１２のいずれか１項に記載の音制御装置の制御方法。
【請求項１４】
前記複数の設定部の各々は、音色を設定する機能を有する、請求項１０〜１３のいずれか１項に記載の音制御装置の制御方法。
【請求項１５】
前記第１のモードが選択された場合は、前記複数の設定部のうち有効に指定されている設定部に対応するコントロールチェンジメッセージを前記通信部を通じて受信せず、前記複数の設定部のうち無効に指定されている設定部に対応するコントロールチェンジメッセージを前記通信部を通じて受信するよう制御する、請求項１０〜１４のいずれか１項に記載の音制御装置の制御方法。
【請求項１６】
前記通信部による通信方向が、送信方向と受信方向とのうち受信方向に切り替えられている状態においては、前記第２のモードが選択された場合は、前記複数の設定部のうち有効に指定されている設定部に対応するコントロールチェンジメッセージを前記通信部を通じて受信し、前記複数の設定部のうち無効に指定されている設定部に対応するコントロールチェンジメッセージを前記通信部を通じて受信せず、前記第３のモードが選択された場合は、前記複数の設定部の有効／無効の指定に拘わらず前記通信部を通じてコントロールチェンジメッセージを受信せず、前記第１のモードが選択された場合は、前記複数の設定部のうち有効に指定されている設定部に対応するコントロールチェンジメッセージを前記通信部を通じて受信せず、前記複数の設定部のうち無効に指定されている設定部に対応するコントロールチェンジメッセージを前記通信部を通じて受信するよう制御する、請求項１１に記載の音制御装置の制御方法。
【請求項１７】
前記複数の制御モードのうち第２のモードが選択された場合は、前記複数の設定部の有効／無効の指定に拘わらず、生成された全てのコントロールチェンジメッセージを前記通信部を通じて送信し、前記複数の制御モードのうち第３のモードが選択された場合は、前記複数の設定部の有効／無効の指定に拘わらず、生成されたいずれのコントロールチェンジメッセージも前記通信部を通じて送信しないよう制御する、請求項１０に記載の音制御装置の制御方法。
【請求項１８】
設定された音色に対応する音パラメータを設定するためのパラメータ操作子をそれぞれ含む、複数の設定部と、ＭＩＤＩ規格のコントロールチェンジメッセージの送受信を外部ＭＩＤＩ音源と行う通信部と、を有する音制御装置の制御方法をコンピュータに実行させるプログラムであって、
前記音制御装置の制御方法は、
前記複数の設定部の前記パラメータ操作子に対する操作に応じたコントロールチェンジメッセージを生成し、
ユーザ操作に基づき前記複数の設定部の各々の有効／無効を指定し、
ユーザ操作に基づき前記通信部の複数の制御モードのうち１つを選択し、
前記複数の制御モードのうち第１のモードが選択された場合は、前記複数の設定部のうち有効に指定されている設定部について生成されたコントロールチェンジメッセージを前記通信部を通じて送信せず、前記複数の設定部のうち無効に指定されている設定部について生成されたコントロールチェンジメッセージを前記通信部を通じて送信するよう制御する、プログラム。
【発明の詳細な説明】
【技術分野】
【０００１】
本発明は、音パラメータを設定する複数の設定部を有する、音制御装置およびその制御方法、プログラムに関する。
【背景技術】
【０００２】
従来、演奏性を高めるために、電子楽器等の音制御装置において、内部音源と外部音源とを用いて、複数音色の同時発音（レイヤ発音）を実現することが望まれている。特許文献１は、鍵盤操作に応じて生成されるＭＩＤＩデータを外部に送信するか否かを、操作される鍵が属する鍵域ごとに別個独立して設定する電子楽器を開示している。例えば特許文献１は、アッパ鍵域とロアー鍵域とで個別にフラグを設定する。そして、特許文献１は、アッパ鍵盤の操作で生成されるＭＩＤＩデータの送信とロアー鍵盤の操作で生成されるＭＩＤＩデータの送信とを、設定したフラグに従って個別に制御する。
【先行技術文献】
【特許文献】
【０００３】
【特許文献１】特開平７−３６４５６号公報
【発明の概要】
【発明が解決しようとする課題】
【０００４】
しかしながら、特許文献１では、上記フラグを予め設定しておかなければならない。そのため、ライブ会場において外部音源に関する音パラメータを随時変更することが困難であり、操作性が低いという問題がある。なお、仮に、内部音源用とは別に、外部音源専用に、音パラメータを設定する設定部を設けるとすると、構成が複雑化し、コストもかかる。
【０００５】
また、音色についての音パラメータを設定する設定部を音色の数だけ有する音制御装置も知られている。この音制御装置においては、レイヤ発音の対象とする音色を「有効」と設定し、レイヤ発音の対象としない音色を「無効」と設定することができる。無効と設定された音色に対応する設定部は、使用されない状態となる。つまり、無効と設定された音色に対応する設定部に属する操作子が操作されても、音制御には反映されない。したがって、設定部が有する操作子が有効に利用されていない。
【０００６】
本発明の一つの目的は、操作性を高めると共に、操作子を有効利用することができる音制御装置およびその制御方法、プログラムを提供することである。
【課題を解決するための手段】
【０００７】
本発明の一形態によれば、設定された音色に対応する音パラメータを設定するためのパラメータ操作子をそれぞれ含む、複数の設定部と、ＭＩＤＩ規格のコントロールチェンジメッセージの送受信を外部ＭＩＤＩ音源と行う通信部と、前記複数の設定部の前記パラメータ操作子に対する操作に応じたコントロールチェンジメッセージを生成する生成部と、前記複数の設定部の各々の有効／無効を指定する指定部と、前記通信部の複数の制御モードのうち１つを選択するモード選択部と、前記モード選択部により第１のモードが選択された場合は、前記複数の設定部のうち有効に指定されている設定部について前記生成部により生成されたコントロールチェンジメッセージを前記通信部を通じて送信せず、前記複数の設定部のうち無効に指定されている設定部について前記生成部により生成されたコントロールチェンジメッセージを前記通信部を通じて送信するよう制御する、制御部と、を有する、音制御装置が提供される。
【発明の効果】
【０００８】
本発明によれば、操作性を高めると共に、操作子を有効利用することができる。
【図面の簡単な説明】
【０００９】
【図１】音制御装置を含む音制御システムの構成図である。
【図２】鍵盤装置の全体構成を示すブロック図である。
【図３】鍵盤装置のパネル面に配置された主要な構成要素を示す図である。
【図４】鍵盤装置のパネル面に配置された主要な構成要素を示す図である。
【図５】各音色セクションからマスタＥＱセクションへの信号の流れを示す概念図である。
【図６】制御モードに応じたＣＣメッセージの送受信制御の態様を示す概念図である。
【図７】鍵盤装置の機能構成のブロック図である。
【図８】音信号制御処理のフローチャートである。
【発明を実施するための形態】
【００１０】
以下、図面を参照して本発明の実施の形態を説明する。
【００１１】
図１は、本発明の一実施の形態に係る音制御装置を含む音制御システムの構成図である。この音制御システムは、音制御装置としての鍵盤装置１０００と外部機器２０００とが通信可能に接続されることで構成される。鍵盤装置１０００は、一例として電子鍵盤楽器として構成される。鍵盤装置１０００は、複数の鍵から成る鍵盤部１００３を有する。鍵盤装置１０００のパネル面１００１には、マスターボリュームノブ１００２、ピッチベンドレバー１００４、モジュレーションレバー１００５が配置されている。パネル面１００１には、さらに、各種の操作や設定を受け付けるための複数のセクションが配置されている。これら複数のセクションは、メインセクション２０、第１音色セクション３０、第２音色セクション５０、第３音色セクション７０、ディレイセクション９０、リバーブセクション１００およびマスタＥＱ（イコライザ）セクション１１０を含む。
【００１２】
図２は、鍵盤装置１０００の全体構成を示すブロック図である。鍵盤装置１０００は、検出回路３、検出回路４、ＲＯＭ６、ＲＡＭ７、タイマ８、表示装置９、記憶装置１０、およびＭＩＤＩ（Musical Instrument Digital Interface）インターフェイス（ＭＩＤＩＩ／Ｆ）１１を備える。鍵盤装置１０００は、さらに、通信インターフェイス（通信Ｉ／Ｆ）１２、音源回路１３及び効果回路１４を備える。符号３、４、６〜１４で示される構成要素はそれぞれ、バス１６を介してＣＰＵ５に接続されている。
【００１３】
検出回路３には、音高情報を入力するための演奏操作子１が接続されている。演奏操作子１は、鍵盤部１００３、マスターボリュームノブ１００２、ピッチベンドレバー１００４およびモジュレーションレバー１００５（図１）を含む。検出回路４には、各種情報を入力するための複数のスイッチを含む設定操作子２が接続されている。設定操作子２は、セクション２０、３０、５０、７０、９０、１００、１１０のそれぞれが備える複数の操作子（図２、図３で後述する）を含む。表示装置９は液晶ディスプレイ（ＬＣＤ）等で構成され、各種情報を表示する。ＣＰＵ５にはタイマ８が接続されている。ＭＩＤＩＩ／Ｆ１１には、外部機器２０００が接続可能である。外部機器２０００は、外部ＭＩＤＩ音源を含む。通信Ｉ／Ｆ１２には通信ネットワークを介してサーバコンピュータ等が接続可能である（図示せず）。音源回路１３には効果回路１４を介してサウンドシステム１５が接続されている。なお、サウンドシステム１５は、鍵盤装置１０００に内蔵されてもよいし、外部装置として鍵盤装置１０００に接続されてもよい。
【００１４】
検出回路３は演奏操作子１の操作状態を検出する。検出回路４は設定操作子２の操作状態を検出する。ＣＰＵ５は、本装置全体の制御を行う。ＲＯＭ６は、ＣＰＵ５が実行する制御プログラムや各種テーブルデータ等を記憶する。ＲＡＭ７は、演奏データ、テキストデータ等の各種入力情報、各種フラグやバッファデータ及び演算結果等を一時的に記憶する。タイマ８は、タイマ割り込み処理における割り込み時間や各種時間を計時する。記憶装置１０は、上記制御プログラムを含む各種アプリケーションプログラム、演奏情報、各種データ等を記憶する。記憶装置１０は、不揮発性の記憶媒体を有する。記憶装置１０は、内蔵される記憶装置であってもよいし、外部記憶装置であってもよい。記憶装置１０は、例えば、半導体メモリ、フレキシブルディスクドライブ（ＦＤＤ）、ハードディスクドライブ（ＨＤＤ）、ＣＤ−ＲＯＭドライブまたは光磁気ディスク（ＭＯ）ドライブ等である。
【００１５】
ＭＩＤＩＩ／Ｆ１１は、外部機器２０００からのＭＩＤＩ信号を入力したり、ＭＩＤＩ信号を外部機器２０００に出力したりする。鍵盤装置１０００と外部機器２０００とは、互いのＭＩＤＩ端子同士がＭＩＤＩケーブルで接続されることで、ＭＩＤＩメッセージの送受信が可能である。送受信されるＭＩＤＩメッセージは、少なくともコントロールチェンジメッセージを含む。
【００１６】
音源回路１３は、演奏操作子１から入力された演奏データや予め設定された演奏データ（記憶装置１０に記憶されている自動演奏データ等）等を音信号に変換する。効果回路１４は、音源回路１３から入力される音信号に各種エフェクトを付与する。ＤＡＣ（Digital-to-Analog Converter）やアンプ、スピーカ等のサウンドシステム１５は、効果回路１４から入力される音信号等を音響に変換する。なお、後述するパフォーマンスを用いて演奏する場合、ＣＰＵ５は、当該パフォーマンスにおいて規定されるエフェクト設定に基づき、効果回路１４を用いて音信号に効果を付与する。
【００１７】
次に、図３および図４で、鍵盤装置１０００のパネル面１００１に配置された各セクションの構成および機能について説明する。図３および図４は、鍵盤装置１０００のパネル面１００１に配置された主要な構成要素を示す図である。
【００１８】
まず、パフォーマンスとは、音色およびエフェクト設定の組を少なくとも１組含む情報（設定情報）である。１つのパフォーマンスには、少なくとも１つの音色と、少なくとも１つのエフェクト設定とが属する。複数のパフォーマンスが、予めＲＯＭ６または記憶装置１０に格納（プリセット）されている。また、演奏者（以下、ユーザと称することもある）は、当該格納されたパフォーマンスを編集して、保持部としての記憶装置１０に保存することにより、当該格納されたパフォーマンスを上書きすることができ、また、演奏者は、新たなパフォーマンスを作成し、保持部としての記憶装置１０に保存することにより、パフォーマンスを追加することもできる。
【００１９】
エフェクト設定とは、エフェクトの種類と付与の態様に関する情報である。エフェクト設定は、パフォーマンスごとに、含まれる音色に対して設定されている。エフェクト設定は、エフェクト、例えば、インサーションエフェクト、リバーブ、ディレイ、ＥＱの各設定を含む。なお、エフェクト設定として含まれる設定の対象となるエフェクトは、上記のように複数のエフェクトに限られず、少なくとも一つのエフェクトであればよいし、その種類も、上記の４つに限られず、音色に付与されるエフェクトであればよい。例えば、エフェクト設定が、リバーブ、ディレイ、ＥＱの各設定だけを含むとしてもよい。
【００２０】
図３に示すメインセクション２０は、他のセクションと協働して、各種の設定を行うために用いられる。第１音色セクション３０、第２音色セクション５０、および図４に示す第３音色セクション７０は、それぞれ、発音に用いる音色ごとに設定を行うために用いられる。一例としては、第１音色セクション３０は、ピアノセクションであり、主にアコースティックピアノ系の音色を設定するために用いられる。第２音色セクション５０は、エレクトリックピアノセクションであり、主に電気ピアノ系の音色を設定するために用いられる。第３音色セクション７０は、サブセクションであり、主にピアノやエレクトリックピアノにレイヤさせる音色を設定するために用いられる。ディレイセクション９０、リバーブセクション１００およびマスタＥＱセクション１１０は、発音対象の音色に共通に付与されるエフェクト（以下、共通エフェクトと呼称する）を設定するためのエフェクトセクションである。なお、共通エフェクトとは別に、各音色セクションに固有に付与できるエフェクトとして、インサーションエフェクトが設けられている。インサーションエフェクトは、各音色セクションごとに特有に設計された種類のエフェクトであり、各音色セクションにおけるインサーションエフェクトの選択については後述する。
【００２１】
図３に示すように、メインセクション２０は、ダイアル２１、メインディスプレイ２２、選択スイッチ群２３およびメニューボタン２４等を含む。メニューボタン２４は、システム全体の設定を行うための画面を表示するために用いられる。ダイアル２１が回転されると項目が選択され、押し込み操作されると編集内容が決定される。メインディスプレイ２２には、設定画面が表示され、例えば、選択された項目または編集内容が表示される。選択スイッチ群２３は複数の押しボタンを含む。これら複数の押しボタンは、例えば、登録された複数のパフォーマンスのうち１つを呼び出すために用いられる。
【００２２】
第１音色セクション３０は、音色セクションＯＮ／ＯＦＦスイッチ３１、インサーションエフェクトＯＮ／ＯＦＦスイッチ３２、カテゴリセレクタ３３、音色セレクトスイッチ３４、ディスプレイ３５を含む。第１音色セクション３０は、さらに、ボリュームノブ３６、トーンノブ３７、デプスノブ３８、インサーションエフェクト切り替えスイッチ３９等を含む。
【００２３】
カテゴリセレクタ３３は、音色カテゴリを選択するための回転操作子である。音色セレクトスイッチ３４は、選択された音色カテゴリに属する音色群から１つの音色を選択するためのスイッチである。音色セクションＯＮ／ＯＦＦスイッチ３１は、音色の有効／無効を指定するスイッチである。音色の有効が指定されている場合、当該音色は発音する対象となる。例えば、鍵盤部１００３が演奏操作されるのに応じて、当該音色の音が発音される。反対に、音色の無効が指定されている場合は、当該音色は発音されない。音色セクションＯＮ／ＯＦＦスイッチ３１は、一例として、押下操作または傾倒操作されるトグル式のスイッチである。例えば、音色セクションＯＮ／ＯＦＦスイッチ３１は、操作が終了すると、元の姿勢に復帰する。ディスプレイ３５には、選択中の音色を示す番号等が表示される。
【００２４】
インサーションエフェクト切り替えスイッチ３９は、第１音色セクション３０で設定された音色に付与するインサーションエフェクトを切り替えるためのスイッチである。ここでいうインサーションエフェクトとして、例えば、ステレオコンプレッサ、ディストーション等、複数種類が用意されている。演奏者は、インサーションエフェクト切り替えスイッチ３９を操作することで、付与するインサーションエフェクトを１つ選択する。インサーションエフェクトＯＮ／ＯＦＦスイッチ３２は、インサーションエフェクト切り替えスイッチ３９で選択されたインサーションエフェクトの付与の有効／無効を指定するスイッチである。インサーションエフェクトの付与が有効と指定されている場合に限り、第１音色セクション３０で設定された音色に対して、選択されているインサーションエフェクトが付与される。
【００２５】
ボリュームノブ３６は、音色の音量を調節するための回転操作子である。トーンノブ３７は、音色のトーンを調節するための回転操作子である。デプスノブ３８は、インサーションエフェクトがかかる深さを調節するための回転操作子である。
【００２６】
第２音色セクション５０は、音色セクションＯＮ／ＯＦＦスイッチ５１、インサーションエフェクトＯＮ／ＯＦＦスイッチ５２、カテゴリセレクタ５３、音色セレクトスイッチ５４およびディスプレイ５５を含む。第２音色セクション５０は、さらに、ボリュームノブ５６、トーンノブ５７、ドライブノブ５８を含む。第２音色セクション５０は、さらに、インサーションエフェクトＯＮ／ＯＦＦスイッチ６１、６２、インサーションエフェクト切り替えスイッチ６３、６４、スピードノブ６５、デプスノブ６６、レートノブ６７、デプスノブ６８等を含む。
【００２７】
スイッチ５１、５２、５４、カテゴリセレクタ５３、ディスプレイ５５、ノブ５６、５７の構成及び機能はそれぞれ、スイッチ３１、３２、３４、カテゴリセレクタ３３、ディスプレイ３５、ノブ３６、３７の構成及び機能と同様である。スイッチ６１、６２の構成及び機能はいずれも、スイッチ３２の構成及び機能と同様である。スイッチ６３、６４の構成及び機能はいずれも、スイッチ３９の構成及び機能と同様である。
【００２８】
インサーションエフェクトＯＮ／ＯＦＦスイッチ６１、６２はそれぞれ、第２音色セクション５０で設定された音色に対する、インサーションエフェクト切り替えスイッチ６３、６４で設定されたインサーションエフェクトの付与の有効／無効を指定するスイッチである。インサーションエフェクト切り替えスイッチ６３によれば、例えば、コーラスやフランジャ等のインサーションエフェクトを切り替えることができる。インサーションエフェクト切り替えスイッチ６４によれば、例えば、オートパンやトレモロ等のインサーションエフェクトを切り替えることができる。
【００２９】
デプスノブ６６、６８の構成及び機能は、デプスノブ３８の構成及び機能と同様である。スピードノブ６５は、インサーションエフェクトの速さを調節するための回転操作子である。レートノブ６７は、インサーションエフェクトの速さを調節するための回転操作子である。
【００３０】
図４に示すように、第３音色セクション７０は、音色セクションＯＮ／ＯＦＦスイッチ７１、インサーションエフェクトＯＮ／ＯＦＦスイッチ７２、カテゴリセレクタ７３、音色セレクトスイッチ７４およびディスプレイ７５を含む。第３音色セクション７０は、さらに、ボリュームノブ７６、トーンノブ７７、スピードノブ７８、デプスノブ７９、インサーションエフェクト切り替えスイッチ８０、アタックノブ８１およびリリースノブ８２等を含む。
【００３１】
スイッチ７１、７２、７４、８０、カテゴリセレクタ７３、ディスプレイ７５、ノブ７６、７７の構成及び機能はそれぞれ、スイッチ３１、３２、３４、３９、カテゴリセレクタ３３、ディスプレイ３５、ノブ３６、３７の構成及び機能と同様である。インサーションエフェクトＯＮ／ＯＦＦスイッチ７２は、第３音色セクション７０で設定された音色に対する、インサーションエフェクト切り替えスイッチ８０で設定されたインサーションエフェクトの付与の有効／無効を指定するスイッチである。インサーションエフェクト切り替えスイッチ８０によれば、例えば、コーラスやロータリースピーカ等のインサーションエフェクトを切り替えることができる。
【００３２】
デプスノブ７９の構成及び機能は、デプスノブ３８の構成及び機能と同様である。スピードノブ７８の構成及び機能は、スピードノブ６５の構成及び機能と同様である。アタックノブ８１は、音が立ち上がるまでの時間を調節するための回転操作子である。リリースノブ８２は、音が消えるまでの時間を調節するための回転操作子である。
【００３３】
第３音色セクション７０とディレイセクション９０との間に、エフェクトレベル切り替えボタン９５、ランプ部９６が配置されている。エフェクトレベル切り替えボタン９５は、ディレイとリバーブのうち、センドレベルを調節する対象のエフェクトを選択するためのスイッチである。ランプ部９６は、３つのセクションランプを有する。エフェクトレベル切り替えボタン９５により、センドレベルを調節する対象として設定されている音色セクションに対応するセクションランプが点灯する。
【００３４】
ディレイセクション９０は、ディレイＯＮ／ＯＦＦスイッチ９１、タイムノブ９３およびデプスノブ９４等を含む。リバーブセクション１００は、リバーブＯＮ／ＯＦＦスイッチ１０１、タイムノブ１０２およびデプスノブ１０３等を含む。ＯＮ／ＯＦＦスイッチ９１、１０１は、音色セクション３０、５０、７０のうち有効な音色セクションに対応する音色（発音対象の音色）に、それぞれディレイエフェクト、リバーブエフェクトを付与するか否かを切り替えるスイッチである。言い換えると、ＯＮ／ＯＦＦスイッチ９１、１０１は、選択されているパフォーマンスにおいて規定される共通エフェクト（リバーブ、ディレイ）の有効／無効の指定を受け付けるための指定操作子である。
【００３５】
タイムノブ９３は、フィードバックディレイの長さを調節するための回転操作子である。デプスノブ９４は、ディレイエフェクトがかかる深さを調節するための回転操作子である。タイムノブ１０２は、リバーブエフェクトがかかる長さを調節するための回転操作子である。デプスノブ１０３は、リバーブエフェクトがかかる深さを調節するための回転操作子である。
【００３６】
マスタＥＱセクション１１０のマスタＥＱＯＮ／ＯＦＦスイッチ１１１は、音色セクション３０、５０、７０のうち有効な音色セクションに対応する音色に、マスタＥＱを付与するか否かを切り替えるスイッチである。マスタＥＱを付与することで、サウンド全体の音質が補正される。
【００３７】
なお、音色セクションごとに設定される音量や、音色セクションごとに設定されるインサーションエフェクトの速さ、長さ、深さ等は、音色セクションに対応する音色に設定された音パラメータである。そして、上述のように、エフェクトレベル切り替えボタン９５により、センドレベルを調節する対象を切り替えることができる。従って、演奏者は、ランプ部９６において、センドレベルを調節する対象の音色セクションに対応するセクションランプを点灯させた状態でノブ９３、９４、１０２、１０３を操作する。この操作により、音色セクションごとに音パラメータを調節することができる。
【００３８】
次に、パフォーマンスの呼び出し、編集および新規追加時の動作例を説明する。ユーザは、選択スイッチ群２３（図３）を操作することで、登録された複数のパフォーマンスのうち所望の１つを選択する。すると、選択された１つのパフォーマンスの名称がメインディスプレイ２２に表示される。なお、鍵盤装置１０００の電源オン時等の初期状態においては、選択状態となるパフォーマンスは、予め決まっている。パフォーマンスが選択された状態で、ユーザが選択スイッチ群２３を操作することで、別のパフォーマンスを選択すると、それまで表示されていた名称に代わって、新たに選択された１つのパフォーマンスの名称がメインディスプレイ２２に表示される。このように、選択スイッチ群２３の操作により、選択状態となるパフォーマンスが切り替わる。
【００３９】
選択中のパフォーマンスを編集する際、ユーザは、例えば、音色セクションＯＮ／ＯＦＦスイッチ３１、５１または７１を操作することで、音色セクションごとに有効／無効を切り替えることができる。また、ユーザは、カテゴリセレクタ３３、５３または７３、音色セレクトスイッチ３４、５４または７４を操作することで、音色セクションごとに、対応する音色を設定することができる。さらに、ユーザは、インサーションエフェクト切り替えスイッチ３９、６３、６４または８０を操作することで、音色セクションごとに、付与するインサーションエフェクトを設定することができる。また、ユーザは、インサーションエフェクトＯＮ／ＯＦＦスイッチ３２、５２または７２を操作することで、音色セクションごとに、インサーションエフェクトの有効／無効を切り替えることができる。さらに、ユーザは、ノブ３６〜３８、５６〜５８、６５〜６８、７６〜７９等を適宜操作することで、音量およびインサーションエフェクトに関する音パラメータを調節することができる。
【００４０】
パフォーマンスは、編集中の状態のまま保存されなくても、演奏による発音に反映される。編集後のパフォーマンスを保存するには、ユーザは、選択スイッチ群２３のストアスイッチを操作する。この操作により、現在の編集状態の音色セクションが保存される。なお、編集後の音色セクションを保存・登録する際に、上書きによる更新が可能である。また、別名称を付して新たな音色セクションを追加登録することもできる。ユーザ操作に基づき新たな音色セクションを作成する作成部の機能は、主として設定操作子２、ＣＰＵ５、ＲＯＭ６、ＲＡＭ７および記憶装置１０の協働により実現される。なお、マスタＥＱの設定はパフォーマンスに含まれるが、含まれないようにしてもよい。
【００４１】
一例として、パフォーマンスを、第１グランドピアノ音にステレオコンプレッサが付加される音と、第１電気ピアノ音にインサーションエフェクトを付加しない音の２つの音をレイヤ発音する設定にしたいとする。しかも、発音対象の音色にディレイを付与することなく、リバーブを付与したいとする。この場合、ユーザは、次のように設定する。
【００４２】
まず、ユーザは、第１音色セクション３０において、音色として第１グランドピアノ音を設定すると共に、第２音色セクション５０において、音色として第１電気ピアノ音を設定する。また、ユーザは、音色セクション３０、５０における、スイッチ３１、５１をそれぞれＯＮにすると共に、第３音色セクション７０のスイッチ７１をＯＦＦにする。また、ユーザは、インサーションエフェクト切り替えスイッチ３９を共にＯＮにすると共に、インサーションエフェクトＯＮ／ＯＦＦスイッチ６１、６２をＯＦＦにする。また、ユーザは、ディレイＯＮ／ＯＦＦスイッチ９１をＯＦＦにすると共に、リバーブＯＮ／ＯＦＦスイッチ１０１をＯＮにする。このほか、ユーザは、音パラメータを調節するために、ノブや回転操作子を適宜操作する。
【００４３】
図５は、各音色セクションからマスタＥＱセクション１１０への信号の流れを示す概念図である。各音色セクションに対応する音色の音信号は、各音色セクションに固有のインサーションエフェクトを付与された後、エフェクトセクションに供給される。そして、各音色セクションからエフェクトセクションに供給された信号の全てに対して、設定されたセンドレベルに応じた共通エフェクトが付与される。共通エフェクトが付与された信号は、マスタＥＱセクション１１０でＥＱが付与された後に出力される。
【００４４】
ところで、音源回路１３および効果回路１４を用いた発音に関しては、音信号生成部が、演奏情報と、選択されたパフォーマンスとに基づき、音信号を生成する。この音信号生成部の機能は、主としてＣＰＵ５、音源回路１３および効果回路１４の協働により実現される。上記演奏情報は、例えば、演奏操作子１により入力される。なお、演奏情報は、記憶装置１０から取得、あるいはＭＩＤＩＩ／Ｆ１１を経由して取得されるものであってもよい。音信号生成部は、パフォーマンスにおいて規定される音色で、且つ、演奏情報に基づく音高の音信号を生成する。音信号生成部は、さらに、生成した音信号に、パフォーマンスにおいて規定されるエフェクトを付与する。エフェクトが付与された音信号がサウンドシステム１５によって音響に変換されることで、発音される。
【００４５】
これまでは、内部音源（音源回路１３）による発音だけに着目して説明した。次に、内部音源と外部音源（外部機器２０００）とを併用してレイヤ発音を行う処理を説明する。このレイヤ発音を、以降、「外部音源併用のレイヤ発音」と呼称する。
【００４６】
まず、各音色セクションに対応する音色に対して音パラメータを設定するための操作子であるパラメータ操作子の操作に応じて、ＭＩＤＩ規格のコントロールチェンジメッセージ（以下、ＣＣメッセージと略記する）が生成される。ここでいうパラメータ操作子には、各音色セクションに含まれる、ノブ３６〜３８、５６〜５８、６５〜６８、７６〜７９等が該当する。なお、本発明で設定対象とされる音パラメータは、音量またはエフェクトの少なくともいずれかを含めばよい。外部音源併用のレイヤ発音においては、生成されたＣＣメッセージが、ＭＩＤＩＩ／Ｆ１１を通じて外部機器２０００に送信される。また、外部機器２０００から出力されたＣＣメッセージが、ＭＩＤＩＩ／Ｆ１１を通じて鍵盤装置１０００に受信されてもよい。
【００４７】
図６は、制御モードに応じたＣＣメッセージの送受信制御の態様を示す概念図である。本実施の形態では、通信に関する制御モードとして、Ｉｎｖｅｒｔモード（第１のモード）、ＯＮモード（第２のモード）、ＯＦＦモード（第３のモード）の３つがある。制御モードと、各音色セクションの有効／無効の指定との組み合わせによって、ＣＣメッセージが送受信されるか否かが決定される。図６に示す「送受信」となる組み合わせの場合に、ＣＣメッセージが送受信されると決定される。
【００４８】
ＯＮモードは、有効に指定されている音色セクションについて生成されたＣＣメッセージをＭＩＤＩＩ／Ｆ１１を通じて外部機器２０００に送信し、無効に指定されている音色セクションについて生成されたＣＣメッセージをＭＩＤＩＩ／Ｆ１１を通じて外部機器２０００に送信しないモードである。ＯＦＦモードは、各音色セクションの有効／無効の指定に拘わらず、各音色セクションにおけるパラメータ操作子の操作に応じて生成されたいずれのＣＣメッセージもＭＩＤＩＩ／Ｆ１１を通じて外部機器２０００に送信しないモードである。
【００４９】
Ｉｎｖｅｒｔモードは、有効に指定されている音色セクションについて生成されたＣＣメッセージをＭＩＤＩＩ／Ｆ１１を通じて外部機器２０００に送信せず、無効に指定されている音色セクションについて生成されたＣＣメッセージをＭＩＤＩＩ／Ｆ１１を通じて外部機器２０００に送信するモードである。
【００５０】
なお、外部機器２０００からのＣＣメッセージの受信に関しては、ＯＮモードでは、有効に指定されている音色セクションに対応するＣＣメッセージが外部機器２０００からＭＩＤＩＩ／Ｆ１１を通じて受信され、無効に指定されている音色セクションに対応するＣＣメッセージが外部機器２０００からＭＩＤＩＩ／Ｆ１１を通じて受信されない。ＯＦＦモードでは、各音色セクションの有効／無効の指定に拘わらず、外部機器２０００からのＣＣメッセージは受信されない。Ｉｎｖｅｒｔモードでは、有効に指定されている音色セクションに対応するＣＣメッセージが外部機器２０００からＭＩＤＩＩ／Ｆ１１を通じて受信されず、無効に指定されている音色セクションに対応するＣＣメッセージが外部機器２０００からＭＩＤＩＩ／Ｆ１１を通じて受信される。
【００５１】
図７は、鍵盤装置１０００の機能構成のブロック図である。鍵盤装置１０００は、主な機能ブロックとして、制御部２０１、モード選択部２０２、生成部２０３、通信部２０４、および設定部２３０、２５０、２７０を有する。制御部２０１の機能は、主としてＣＰＵ５、ＲＯＭ６、ＲＡＭ７、タイマ８および記憶装置１０の協働により実現される。通信部２０４には、ＭＩＤＩＩ／Ｆ１１が該当する。通信部２０４は、ＣＣメッセージの送受信を外部機器２０００と行う。
【００５２】
設定部２３０、２５０、２７０にはそれぞれ、音色セクション３０、５０、７０（図３、図４）が該当する。設定部２３０、２５０、２７０はそれぞれ、指定部２３１、２５１、２７１を有する。指定部２３１、２５１、２７１にはそれぞれ、スイッチ３１、５１、７１が該当する。また、設定部２３０、２５０、２７０はそれぞれ、パラメータ操作子２３２、２５２、２７２を有する。パラメータ操作子２３２には、ノブ３６〜３８（図３参照）が該当する。パラメータ操作子２５２には、ノブ５６〜５８、６５〜６８（図３参照）が該当する。パラメータ操作子２７２には、ノブ７６〜７９（図４参照）が該当する。
【００５３】
生成部２０３の機能は、主としてＣＰＵ５、ＲＯＭ６およびＲＡＭ７の協働により実現される。生成部２０３は、複数の設定部（２３０、２５０、２７０）の各パラメータ操作子（２３２、２５２、２７２）に対する操作に応じたＣＣメッセージを生成する。
【００５４】
モード選択部２０２の機能は、主として設定操作子２、ＣＰＵ５、ＲＯＭ６、ＲＡＭ７および記憶装置１０の協働により実現される。モード選択部２０２は、通信部２０４の３つの制御モードのうち１つをユーザ操作に従って選択する。具体的には、モード選択部２０２は、ダイアル２１およびメニューボタン２４に対する操作の受け付けによって制御モードを選択する。例えば、演奏者は、メニューボタン２４をＯＮにし、ダイアル２１を回転させることで所望の制御モードを選択した状態で、ダイアル２１を押し込み操作することで、制御モードを確定させることができる。
【００５５】
外部音源併用のレイヤ発音においては、演奏者がパラメータ操作子２３２、２５２、２７２を操作すると、その操作に応じてＣＣメッセージが生成される。そして、送受信されると決定されている設定部に対応するＣＣメッセージが、外部機器２０００に送信される。
【００５６】
例えば、Ｉｎｖｅｒｔモードにおいて、設定部２３０（音色セクション３０）が有効で、設定部２５０、２７０（音色セクション５０、７０）が無効の場合を考える。音色セクション３０に対応する音色の発音に関し、パラメータ操作子２３２の操作に応じたＣＣメッセージは、音源回路１３および効果回路１４による音信号の生成に反映されるが、外部機器２０００には送信されない。他方、パラメータ操作子２５２または２７２の操作に応じたＣＣメッセージは外部機器２０００に送信されるので、外部機器２０００が備える音源回路および効果回路による音信号の生成に反映される。従って、Ｉｎｖｅｒｔモードにおいて、演奏者は、無効指定により内部音源の制御に使用されないパラメータ操作子を、外部機器２０００の音パラメータの制御に用いることができる。このようにパラメータ操作子を有効に利用することができる。
【００５７】
図８は、音信号制御処理のフローチャートである。この処理は、ＣＰＵ５が、ＲＯＭ６に格納されたプログラムをＲＡＭ７に展開すると共に、展開したプログラムを実行することにより、実現される。この処理は、鍵盤装置１０００の電源が入れられると開始される。
【００５８】
まず、ステップＳ１０１では、ＣＰＵ５は、初期化処理を実行する。この初期化処理では、例えば、ＣＰＵ５は、デフォルトのパフォーマンスを選択状態にする。ステップＳ１０２では、ＣＰＵ５は、パフォーマンスの編集、新規追加または削除等のユーザ指示があれば、その指示に従った処理を実行する。ステップＳ１０３では、ＣＰＵ５は、通信に関する制御モード等の選択処理を実行する。例えば、ＣＰＵ５は、ダイアル２１およびメニューボタン２４に対するユーザ操作を受け付けることにより、Ｉｎｖｅｒｔモード、ＯＮモード、ＯＦＦモードのいずれかを選択状態にする。
【００５９】
ステップＳ１０４では、ＣＰＵ５は、音色セクションの設定変更処理を実行する。例えば、ＣＰＵ５は、ユーザ操作等に基づいて、各音色セクションの有効／無効の指定、各エフェクトの有効／無効の設定、等の処理を実行する。ステップＳ１０５では、ＣＰＵ５は、パラメータ操作子２３２、２５２、２７２のいずれかに対する操作があったか否かを判別する。そして、パラメータ操作子２３２、２５２、２７２のいずれに対する操作もない場合は、ＣＰＵ５は、処理をステップＳ１１２に進める。一方、パラメータ操作子２３２、２５２、２７２のいずれかに対する操作があった場合は、ＣＰＵ５は、処理をステップＳ１０６に進める。
【００６０】
ステップＳ１０６では、ＣＰＵ５は、パラメータ操作子のそれぞれに対する操作に応じたＣＣメッセージを生成する。ステップＳ１０７では、ＣＰＵ５は、現在の制御モードがＯＮモードであるか否かを判別する。ＣＰＵ５は、現在の制御モードがＯＮモードである場合は、処理をステップＳ１０９に進める。しかし、現在の制御モードがＯＮモードでない場合は、ＣＰＵ５は、現在の制御モードがＯＦＦモードであるか否かを判別する。ＣＰＵ５は、現在の制御モードがＯＦＦモードである場合は、処理をステップＳ１１０に進める。しかし、現在の制御モードがＯＦＦモードでない場合は、ＣＰＵ５は、現在の制御モードがＩｎｖｅｒｔモードであると判断できるので、処理をステップＳ１１１に進める。
【００６１】
ステップＳ１０９では、ＣＰＵ５は、有効に指定されている音色セクションについて生成されたＣＣメッセージをＭＩＤＩＩ／Ｆ１１を通じて外部機器２０００に送信する。またＣＰＵ５は、無効に指定されている音色セクションについて生成されたＣＣメッセージをＭＩＤＩＩ／Ｆ１１を通じて外部機器２０００に送信しない。さらに、ＣＰＵ５は、有効に指定されている音色セクションに対応するＣＣメッセージが外部機器２０００から送信されてきた場合、それを受信する。しかし、ＣＰＵ５は、無効に指定されている音色セクションに対応するＣＣメッセージが外部機器２０００から送信されてきても、それを受信しない。
【００６２】
ステップＳ１１１では、ＣＰＵ５は、有効に指定されている音色セクションについて生成されたＣＣメッセージをＭＩＤＩＩ／Ｆ１１を通じて外部機器２０００に送信しない。またＣＰＵ５は、無効に指定されている音色セクションについて生成されたＣＣメッセージをＭＩＤＩＩ／Ｆ１１を通じて外部機器２０００に送信する。さらに、ＣＰＵ５は、有効に指定されている音色セクションに対応するＣＣメッセージが外部機器２０００から送信されてきた場合でも、それを受信しない。しかし、ＣＰＵ５は、無効に指定されている音色セクションに対応するＣＣメッセージが外部機器２０００から送信されてきた場合、それを受信する。
【００６３】
ステップＳ１０９、Ｓ１１０、Ｓ１１１の各処理の後、ステップＳ１１２で、ＣＰＵ５は、現在のパフォーマンスで有効と設定されている音色セクションに対応する音色の各々につき、演奏操作子１または記憶装置１０から取得される演奏データに基づく音高の音信号を生成する。その際、ＣＰＵ５は、有効に設定されているエフェクト設定を反映させる。ここで、ＣＰＵ５は、生成されたＣＣメッセージをＭＩＤＩＩ／Ｆ１１を通じて外部機器２０００に送信する場合であっても、ＣＣメッセージの送信と並行して、上記音信号生成部による音信号の生成を制御する。その際ＣＰＵ５は、有効に指定されている設定部の設定内容と、有効に指定されている設定部について生成されたＣＣメッセージとに基づいて、上記音信号生成部による音信号の生成を制御する。
【００６４】
ステップＳ１１３では、ＣＰＵ５は、ステップＳ１１２で生成された音信号をサウンドシステム１５に出力することで、音響を発生させる。ＣＰＵ５は、ステップＳ１１４で、その他の処理を実行してから、処理をステップＳ１０２に戻す。当該その他の処理においては、ＣＰＵ５は、例えば、終了指示を示すユーザ操作があれば、図８に示す音信号制御処理を終了させる。
【００６５】
本実施の形態によれば、まず、外部音源併用のレイヤ発音が実現されるので、演奏性を高めることができる。また、Ｉｎｖｅｒｔモードでは、有効に指定されている音色セクションについて生成されたＣＣメッセージが外部機器２０００に送信されず、無効に指定されている音色セクションについて生成されたＣＣメッセージが外部機器２０００に送信される。従って、有効に指定されている音色セクションのパラメータ操作子を内部音源の制御に用い、無効に指定されている音色セクションのパラメータ操作子を外部音源の制御に用いる、という使用態様が可能となる。このように、内部音源用に使用されない状態となっている音色セクションのパラメータ操作子を外部音源用に有効利用するので、外部音源の制御用に専用のパラメータ操作子を設ける必要がない。従って、レイヤ発音のための構成の複雑化およびコスト上昇を避けることができる。また、特に、パラメータ操作子を内部音源の制御に用いるか、外部音源の制御に用いるかを、スイッチ３１、５１、７１の操作によって演奏中に簡単に切り替えることができるので、操作性が向上する。よって、本実施の形態により、操作性が向上すると共に、操作子を有効利用することができる。
【００６６】
しかも、各音色セクションに、音色を設定する機能と共に、有効／無効を指定する音色セクションＯＮ／ＯＦＦスイッチ（３１、５１、７１）があるので、演奏者は、操作を覚えやすい。
【００６７】
また、受信に関しても、スイッチ３１、５１、７１の操作によって、制御モードを変更できるので、操作性が向上する。
【００６８】
なお、本実施の形態では、送受信されると決定されている場合、ＣＰＵ５は、外部機器２０００から送信されてきたＣＣメッセージがあれば、それを受信する。しかし、通信方向を切り替える切り替え部を設けてもよい。例えば、当該切り替え部には、メインセクション２０におけるダイアル２１およびメニューボタン２４等を適用できる。そして、通信方向が「送信方向」である場合は、ＣＰＵ５は、ステップＳ１０４の後、ステップＳ１０５へ移行する。一方、通信方向が「受信方向」である場合は、ＣＰＵ５は、ステップＳ１０４の後、受信処理を実行してから処理をステップＳ１１２に進める。この受信処理では、制御モードに応じた処理が実行される。すなわち、ＯＮモードでは、有効に指定されている音色セクションに対応するＣＣメッセージが外部機器２０００からＭＩＤＩＩ／Ｆ１１を通じて受信され、無効に指定されている音色セクションに対応するＣＣメッセージが外部機器２０００からＭＩＤＩＩ／Ｆ１１を通じて受信されない。ＯＦＦモードでは、各音色セクションの有効／無効の指定に拘わらず、外部機器２０００からのＣＣメッセージは受信されない。Ｉｎｖｅｒｔモードでは、有効に指定されている音色セクションに対応するＣＣメッセージが外部機器２０００からＭＩＤＩＩ／Ｆ１１を通じて受信されず、無効に指定されている音色セクションに対応するＣＣメッセージが外部機器２０００からＭＩＤＩＩ／Ｆ１１を通じて受信される。
【００６９】
なお、指定部２３１、２５１、２７１が、設定部２３０、２５０、２７０のそれぞれに含まれることは必須でない。指定部２３１、２５１、２７１の機能を果たす操作子が、音色セクションとは別個に設けられてもよい。
【００７０】
なお、音色セクション３０、５０、７０のそれぞれの有効／無効状態を示すランプ等の報知部を設けてもよい。また、現在の制御モードを示すランプ等の報知部を設けてもよい。さらに、Ｉｎｖｅｒｔモードにおいて、外部へＣＣメッセージが送信される対象となっている音色セクションを知らせるためのランプ等の報知部を設けてもよい。これら報知の態様は問わず、ランプの点灯、消灯または点滅を適宜採用してもよい。
【００７１】
なお、Ｉｎｖｅｒｔモードにおいて、外部へ送信されるメッセージとしてＣＣメッセージを挙げたが、エクスクルーシブメッセージも含めてもよい。
【００７２】
なお、図６で示した例に限定されず、制御モードがＯＮモードの場合は、各音色セクションの有効／無効の指定に拘わらず、送受信されると決定される（「送受信」となる）ように構成してもよい。
【００７３】
なお、本実施の形態で例示した共通エフェクトは２つであったが、１つであってもよいし、３つ以上であってもよい。また、各音色セクションに固有のインサーションエフェクトの種類および数は、例示に限定されない。
【００７４】
以上、本発明をその好適な実施形態に基づいて詳述してきたが、本発明はこれら特定の実施形態に限られるものではなく、この発明の要旨を逸脱しない範囲の様々な形態も本発明に含まれる。
【００７５】
なお、本発明を達成するためのソフトウェアによって表される制御プログラムを記憶した記憶媒体を、音制御装置に読み出すことによって、本発明と同様の効果を奏するようにしてもよい。その場合、記憶媒体から読み出されたプログラムコード自体が本発明の新規な機能を実現することになり、そのプログラムコードを記憶した、非一過性のコンピュータ読み取り可能な記録媒体は本発明を構成することになる。また、プログラムコードを伝送媒体等を介して供給してもよい。その場合は、プログラムコード自体が本発明を構成することになる。なお、これらの場合の記憶媒体としては、ＲＯＭのほか、フロッピディスク、ハードディスク、光ディスク、光磁気ディスク、ＣＤ−ＲＯＭ、ＣＤ−Ｒ、磁気テープ、不揮発性のメモリカード等を用いることができる。非一過性のコンピュータ読み取り可能な記録媒体としては、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含む。
【符号の説明】
【００７６】
３０、５０、７０  音色セクション、  ３１、５１、７１  音色セクションＯＮ／ＯＦＦスイッチ、  ２０１  制御部、  ２０２  モード選択部、  ２０４  通信部、  ２３０、２５０、２７０  設定部、  ２３１、２５１、２７１  指定部
【図１】
2020112671.tif 000003
【図２】
2020112671.tif 000004
【図３】
2020112671.tif 000005
【図４】
2020112671.tif 000006
【図５】
2020112671.tif 000007
【図６】
2020112671.tif 000008
【図７】
2020112671.tif 000009
【図８】
2020112671.tif 000010